(57)【要約】【課題】反りの発生を防止することができ、しかも、ベースキャビネットへの取付作業性に優れたワークトップを提供する。【解決手段】ワークトップ本体１０と、このワークトップ本体１０の前側の下面に接着固定された長尺の下地材１３と、この下地材１３に固定されたブラケット１４とを備えている。  ワークトップ本体１０は、その前端側が下地材１３よりも前方側に張り出した水返し１２を備えており、この水返し１２は、一段高くなった状態で前方側に張り出し、先端縁が後方側を向くように反転した反転部１２ａを有している。ブラケット１４は、起立板１６の後面が下地材１３の前面に接触するような状態で、基板１５が下地材１３の下面に木ねじＷＳによってねじ止めされており、その状態では、張出板１７の前端部が、水返し１２における反転部１２ａの上面に接近した状態で、その反転部１２ａに平面的に重なり合っている。【選択図】        図１
2008168015.tif 000002
【特許請求の範囲】
【請求項１】
ベースキャビネットに取り付けられるワークトップであって、
前記ベースキャビネットに載置されるワークトップ本体と、
前記ワークトップ本体の前側の下面に固着された下地材とを備え、
前記下地材よりも前方側に張り出した前記ワークトップ本体の前端側は、先端縁が後方側を向くように反転した反転部を有しており、
前記下地材には、前方側に張り出すように、ブラケットが固定されており、
前記ブラケットの前端部が、前記ワークトップ本体における前記反転部の上面に接近または接触した状態で、前記反転部に平面的に重なり合っていることを特徴とするワークトップ。
【請求項２】
前記ブラケットは、前後方向に屈曲している請求項１に記載のワークトップ。
【発明の詳細な説明】
【技術分野】
【０００１】
この発明は、システムキッチンや洗面化粧台等で使用されるワークトップに関する。
【背景技術】
【０００２】
例えば、図６に示すように、システムキッチンや洗面化粧台等では、扉６１等を有するベースキャビネット６０にワークトップ５０を取り付けることになるが、こういったワークトップ５０は、ワークトップ本体５１の前側の下面にパーティクルボード等の木質材によって形成された長尺の下地材５３が接着固定されており、この下地材５３よりも前方側に張り出したワークトップ本体５１の前端側は、一段高くなった状態で前方側に張り出し、先端縁が後方側を向くように反転した反転部５２ａを有する水返し５２が形成されている。
【０００３】
ところで、上述したようなワークトップ５０では、下地材５３が接着固定されている部分には反りが発生しにくいが、同図に一点鎖線で示すように、下地材５３が接着固定されていない状態で、前方側に張り出している水返し５２部分が反ってしまうという問題があるので、図７に示すように、ワークトップ本体５１における水返し５２の反転部５２ａと、ベースキャビネット６０の幕板や戸当り板６２等とを、固定金具７０等を介して相互に連結固定することによって、ワークトップ本体５１における水返し５２部分の反りを防止するようにしている。
【０００４】
【特許文献１】実開昭５９−８６１４９号公報
【発明の開示】
【発明が解決しようとする課題】
【０００５】
しかしながら、ワークトップ本体５１における水返し５２の反転部５２ａと、ベースキャビネット６０の幕板や戸当り板６２等とを、固定金具７０等を介して相互に連結固定するには、ベースキャビネット６０にワークトップ５０を載置した状態で行わなければならないと共に、ワークトップ本体５１における水返し５２の反転部５２ａ及びベースキャビネット６０の幕板や戸当り板６２等の双方に固定金具７０等をねじ止めしなければならないので、作業性が悪く、ベースキャビネットへのワークトップの取り付け作業を効率よく行うことができないといった問題がある。
【０００６】
そこで、この発明の課題は、反りの発生を防止することができ、しかも、ベースキャビネットへの取付作業性に優れたワークトップを提供することにある。
【課題を解決するための手段】
【０００７】
上記の課題を解決するため、請求項１にかかる発明は、ベースキャビネットに取り付けられるワークトップであって、前記ベースキャビネットに載置されるワークトップ本体と、前記ワークトップ本体の前側の下面に固着された下地材とを備え、前記下地材よりも前方側に張り出した前記ワークトップ本体の前端側は、先端縁が後方側を向くように反転した反転部を有しており、前記下地材には、前方側に張り出すように、ブラケットが固定されており、前記ブラケットの前端部が、前記ワークトップ本体における前記反転部の上面に接近または接触した状態で、前記反転部に平面的に重なり合っていることを特徴とするワークトップを提供するものである。
【０００８】
また、請求項２にかかる発明は、請求項１にかかる発明のワークトップにおいて、前記ブラケットが、前後方向に屈曲している点に特徴がある。
【発明の効果】
【０００９】
以上のように、請求項１にかかる発明のワークトップでは、下地材に固定されたブラケットの前端部が、下地材よりも前方側に張り出したワークトップ本体の前端側の反転部の上面に接近または接触した状態で、反転部に平面的に重なり合っているので、このブラケットの前端部によって、ワークトップ本体の前端部に発生する反りが規制されることになる。
【００１０】
また、ブラケットは、ベースキャビネット側に固定する必要がないので、ワークトップをベースキャビネットに載置する前に取り付けることができ、しかも、ワークトップ本体にはブラケットを固定する必要がないので、ブラケットの取付作業性がよく、ベースキャビネットへのワークトップの取付作業を効率よく行うことができる。
【００１１】
特に、請求項２にかかる発明のワークトップでは、ブラケットが、前後方向に屈曲しているので、ブラケット自体が変形しにくく、ワークトップ本体の反りを確実に防止することができる。
【発明を実施するための最良の形態】
【００１２】
以下、実施の形態について図面を参照して説明する。図１は、ワークトップ１をベースキャビネット２に載置して取り付けたシステムキッチンを示している。
【００１３】
前記ワークトップ１は、図２に示すように、開口部にシンク１１が溶接されたワークトップ本体１０と、このワークトップ本体１０の前側の下面に接着固定された、パーティクルボードによって形成された長尺の下地材１３と、この下地材１３に固定されたブラケット１４とを備えており、ワークトップ本体１０はステンレス板によって形成されている。
【００１４】
前記ワークトップ本体１０は、同図に示すように、その前端側が下地材１３よりも前方側に張り出した水返し１２を備えており、この水返し１２は、一段高くなった状態で前方側に張り出し、先端縁が後方側を向くように反転した反転部１２ａを有している。
【００１５】
前記ブラケット１４は、同図に示すように、ワークトップ１の下地材１３にねじ止めされる基板１５と、この基板１５の前端縁から立ち上がる起立板１６と、この起立板１６の上端縁から前方側に張り出す張出板１７と、起立板１６の前面下部に固着された、ベースキャビネット２の扉２１の内面が当接するパッキン１８とから構成されており、基板１５には、複数の木ねじ挿通孔１５ａが形成されている。
【００１６】
このブラケット１４は、図１に示すように、起立板１６の後面が下地材１３の前面に接触するような状態で、基板１５が下地材１３の下面に木ねじＷＳによってねじ止めされており、その状態では、張出板１７の前端部が、水返し１２における反転部１２ａの上面に接近した状態で、その反転部１２ａに平面的に重なり合っている。なお、張出板１７の前端部と反転部１２ａとの間の隙間は、１〜２ｍｍ程度に設定されており、反転部１２ａと張出板１７との重なり幅は、５ｍｍ以上確保されている。
【００１７】
以上のように、このワークトップ１では、下地材１３に固定されたブラケット１４における張出板１７の前端部が、下地材１３よりも前方側に張り出したワークトップ本体１０における水返し１２の反転部１２ａの上面に接近した状態で、その反転部１２ａに平面的に重なり合っているので、このブラケット１４における張出板１７の前端部によって、ワークトップ本体１０の水返し１２部分に発生する反りが規制されることになる。
【００１８】
また、ブラケット１４は、ベースキャビネット２側に固定する必要がないので、ワークトップ１をベースキャビネット２に載置する前に取り付けることができ、しかも、ワークトップ本体１０にはブラケット１４を固定する必要がないので、ブラケット１４の取付作業性がよく、ベースキャビネット２へのワークトップ１の取付作業を効率よく行うことができる。
【００１９】
特に、ブラケット１４は、上述したように、基板１５、起立板１６及び張出板１７からなる前後方向に屈曲した構造を有しているので、ブラケット１４自体が変形しにくく、ワークトップ本体１０の反りを確実に防止することができる。
【００２０】
なお、上述した実施形態では、基板１５、起立板１６及び張出板１７からなるブラケット１４を、その基板１５部分で下地材１３にねじ止めしているが、これに限定されるものではなく、図３に示すワークトップ１Ａのように、起立板１６Ａ及び張出板１７Ａからなるブラケット１４Ａを、その起立板１６Ａ部分を下地材１３の前面に接着固定するようにしてもよい。
【００２１】
また、上述した各実施形態では、前後方向に屈曲したブラケット１４、１４Ａを使用しているが、これに限定されるものではなく、例えば、図４に示すワークトップ１Ｂのように、水切り１２Ａの反転部１２ａが下地材１３の下面よりも僅かに下方側に位置しているような場合は、反転部１２ａ側に張り出させるように、平板状のブラケット１４Ｂを木ねじＷＳによって下地材１３の下面にねじ止めしてもよい。この実施形態の場合、ベースキャビネット２Ａには、戸当り板２２が取り付けられており、この戸当り板２２の前面に扉２１Ａが当接するパッキン１８が固着されている。
【００２２】
また、上述した各実施形態では、扉２１、２１Ａの前面に取手（図示せず）が取り付けられているベースキャビネット２、２Ａについて説明したが、これに限定されるものではなく、例えば、図５に示すように、扉２１Ｂの上端面に、扉２１Ｂを開閉するための指掛け凹部２１Ｂａが形成されているベースキャビネット２Ｂを採用することも可能である。
【００２３】
また、上述した各実施形態では、ブラケット１４、１４Ａ、１４Ｂと、水返し１２、１２Ａにおける反転部１２ａの上面との間に僅かな隙間が形成されている場合について説明したが、これに限定されるものではなく、ブラケット１４、１４Ａ、１４Ｂと、水返し１２、１２Ａにおける反転部１２ａの上面とが接触していてもよい。
【００２４】
また、上述した実施形態では、システムキッチンに使用されるワークトップについて説明したが、本発明のワークトップは、システムキッチンに使用されるものに限定されず、洗面化粧台等に使用されるワークトップについても適用することができることはいうまでもない。
【図面の簡単な説明】
【００２５】
【図１】この発明にかかるワークトップの一実施形態を使用したシステムキッチンを示す断面図である。
【図２】同上のワークトップを示す分解断面図である。
【図３】他の実施形態であるワークトップを使用したシステムキッチンを示す断面図である。
【図４】他の実施形態であるワークトップを使用したシステムキッチンを示す断面図である。
【図５】ベースキャビネットの変形例を示す断面図である。
【図６】従来のワークトップ及びその問題点を説明するための説明図である。
【図７】同上の問題点を解決するための従来手法を説明するための断面図である。
【符号の説明】
【００２６】
１、１Ａ、１Ｂ  ワークトップ
２、２Ａ、２Ｂ  ベースキャビネット
１０、１０Ａ  ワークトップ本体
１１  シンク
１２、１２Ａ  水返し
１２ａ  反転部
１３  下地材
１４、１４Ａ、１４Ｂ  ブラケット
１５  基板
１５ａ  木ねじ挿通孔
１６、１６Ａ  起立板
１７、１７Ａ  張出板
１８  パッキン
２１、２１Ａ、２１Ｂ  扉
２１Ｂａ  指掛け凹部
２２  戸当り板
ＷＳ  木ねじ
【図１】
2008168015.tif 000003
【図２】
2008168015.tif 000004
【図３】
2008168015.tif 000005
【図４】
2008168015.tif 000006
【図５】
2008168015.tif 000007
【図６】
2008168015.tif 000008
【図７】
2008168015.tif 000009